(57)【特許請求の範囲】
【請求項１】
カラー画像信号を画像入力手段より入力し，色再現処理手段により該カラー画像信号の色空間範囲を変換し，画像出力手段より出力するカラー画像信号処理装置において，
複数個のカラーパッチをカラーパッチ対比表示手段に表示し，該複数個のカラーパッチのそれぞれに対応する前記画像出力手段の望ましい色再現範囲内のカラーパッチを表示して指定するカラーパッチ色再現操作入力手段と，
前記カラーパッチ色再現操作入力手段による指定情報に基づき，前記色再現処理手段の変換に用いるパラメータを設定するパラメータ設定手段と，
を有することを特徴とするカラー画像信号処理装置。
【請求項２】
前記カラー画像信号処理装置は，前記パラメータに基づき，前記複数個のカラーパッチと，前記複数個のカラーパッチのそれぞれに対応する指定されたカラーパッチとの関係を評価するパラメータ評価手段と，前記パラメータ評価手段の評価に基づいて，必要な場合に前記複数個のカラーパッチを変更するカラーパッチ変更手段と，を有し，
前記カラーパッチ色再現操作入力手段は，前記変更後の複数個のカラーパッチをカラーパッチ対比表示手段に表示し，前記複数個のカラーパッチのそれぞれに対応する前記画像出力手段の望ましい色再現範囲内のカラーパッチを再指定し，前記パラメータ設定手段は，前記カラーパッチ色再現操作入力手段による再指定情報に基づき，パラメータを再設定することを特徴とする請求項１記載のカラー画像信号処理装置。
【請求項３】
カラー画像信号を画像入力手段より入力し，色再現処理手段により該カラー画像信号の色空間範囲を変換し，画像出力手段より出力するカラー画像信号処理装置において，
複数個のカラーパッチと，該複数個のカラーパッチのそれぞれに対応する前記画像出力手段の望ましい色再現範囲内のカラーパッチとの組み合わせを指定し，カラーパッチ対比表示手段に表示するカラーパッチ色再現操作入力手段と，
前記カラーパッチ対比表示手段に表示された，前記複数個のカラーパッチと，前記望ましい色再現範囲内のカラーパッチとの組み合わせを，前記色再現処理手段における変換に用いるパラメータを仮設定することにより変更するパラメータ仮設定手段と，
使用者が前記カラーパッチ対比表示手段の表示を参照して，前記色再現処理手段の変換に用いるパラメータを設定するパラメータ設定手段と，
前記パラメータ仮設定手段により仮設定されたパラメータに基づき，前記複数個のカラーパッチと，前記複数個のカラーパッチのそれぞれに対応する指定されたカラーパッチとの関係を評価して，該評価結果を前記カラーパッチ対比表示手段に表示するパラメータ評価手段と，を有することを特徴とするカラー画像信号処理装置。
【請求項４】
画像入力手段より入力したカラー画像信号の色空間範囲を変換して画像出力手段より出力すべきカラー画像信号を生成するカラー画像信号処理方法において，
複数個のカラーパッチを表示し，前記複数個のカラーパッチのそれぞれに対応する前記画像出力手段の望ましい色再現範囲内のカラーパッチを指定する第１ステップと，
前記第１ステップによる指定情報に基づき，前記色空間範囲の変換に用いるパラメータを設定する第２ステップと，
前記第２ステップにより設定されたパラメータを用いて，前記画像入力手段より入力したカラー画像信号の色空間範囲を変換する第３ステップと，
を有することを特徴とするカラー画像信号処理方法。
【発明の詳細な説明】
【０００１】
【発明の属する技術分野】
本発明は，カラー画像情報の色空間範囲を変換するカラー画像信号処理装置及びカラー画像信号処理方法に係り，特に，使用者の主観を容易に色再現処理に反映させることで，使用者の色再現要求に忠実な色再現を実現し得るカラー画像を容易に獲得できるようにしたカラー画像信号処理装置及びカラー画像信号処理方法に関する。
【０００２】
【従来の技術】
色再現処理は，入力装置と出力装置とで異なる色再現範囲を持っているために，入力装置で入力された色がそのまま出力装置で再現できない場合に問題となる。
【０００３】
例えば，特公平６−３６５４８号公報の「カラー画像信号処理方法」では，テレビジョン画像信号等の明度，彩度の再現範囲が広い入力系のカラー画像信号を，カラープリンタ等の再現範囲の狭い出力系のカラー画像信号に変換するカラー画像信号処理方法について開示されている。
【０００４】
つまり，本従来例は，入力カラー画像信号の彩度及び明度の範囲が出力装置の彩度及び明度の再現範囲と比較して，大きい場合でも，画像の特徴から決定された圧縮割合に基づき明度及び彩度それぞれの階調を保存するように圧縮写像を行うことにより，色再現範囲外の入力カラー画像信号に保存しながら再現でき，入力画像に視覚的に極めて近い画像を出力装置から再現するものである。
【０００５】
また，一般的には，再現後の画像の色を補正する機能を使って，試行錯誤的に色を使用者の好みに合うように修正している。
【０００６】
【発明が解決しようとする課題】
ところが，色の修正操作を与えたときの全体の画像への影響を推測することは一般的に困難であり，容易に使用者が望む色再現が得られず，多くの試行錯誤を必要とするという問題点があった。また，一度再現処理した結果に対して修正するので，使用者が望む色再現が得られないことや，再現処理に時間がかかるという問題点もあった。
【０００７】
また，人間の色の感じ方は，原稿画像の色相等のグループ毎に異なるのが一般的であるが，上記従来例では，フルカラー画像の圧縮方式（ガマット処理方式）により全ての色を均一に色変換処理するものであり，人の感じ方（主観）をそのまま反映した再現方法ではなく，再現したい色によって好ましい色の再現結果を得ることができなかった。
【０００８】
更に，従来，色再現結果が人の好み等の主観に合うようにするために，色再現処理を行った後に，色補正等で色を主観によって修正する方法，或いは，予め色処理のパラメータを任意に変更して色再現処理する方法等が採られていた。
【０００９】
ところが，何れの方法によっても，必ずしも色再現処理結果に対して十分主観を反映したものになっておらず，多くの試行錯誤が必要であるという問題点があった。また，色補正やパラメータ変更では，ベタやグラフ等のある狭い範囲の色の修正をすることは容易だが，それらの修正の全体の画像への影響を予想することは困難であり，一般の未経験者が，うまく色補正やパラメータを設定することは難かしく，主観に基づいて色を容易に調整することが困難であるという問題点があった。
【００１０】
本発明は，上記従来の問題点に鑑みてなされたものであって，使用者の主観を簡単な操作で色再現処理に反映させることで，使用者の色再現要求に忠実な色再現を実現し得るカラー画像を容易に獲得できるカラー画像信号処理装置及びカラー画像信号処理方法を提供することを目的としている。
【００１１】
【課題を解決するための手段】
上記課題を解決するために，本発明の請求項１に係るカラー画像信号処理装置は，図１に示す如く，カラー画像信号を画像入力手段より入力し，色再現処理手段により該カラー画像信号の色空間範囲を変換し，画像出力手段より出力するカラー画像信号処理装置において，複数個のカラーパッチをカラーパッチ対比表示手段に表示し，該複数個のカラーパッチのそれぞれに対応する前記画像出力手段の望ましい色再現範囲内のカラーパッチを表示して指定するカラーパッチ色再現操作入力手段と，前記カラーパッチ色再現操作入力手段による指定情報に基づき，前記色再現処理手段の変換に用いるパラメータを設定するパラメータ設定手段と，を備えたものである。
【００１２】
また，請求項２に係るカラー画像信号処理装置は，請求項１記載のカラー画像信号処理装置において，前記パラメータに基づき，前記複数個のカラーパッチと，前記複数個のカラーパッチのそれぞれに対応する指定されたカラーパッチとの関係を評価するパラメータ評価手段と，前記パラメータ評価手段の評価に基づいて，必要な場合に前記複数個のカラーパッチを変更するカラーパッチ変更手段と，を有し，前記カラーパッチ色再現操作入力手段は，前記変更後の複数個のカラーパッチをカラーパッチ対比表示手段に表示し，前記複数個のカラーパッチのそれぞれに対応する前記画像出力手段の望ましい色再現範囲内のカラーパッチを再指定し，前記パラメータ設定手段は，前記カラーパッチ色再現操作入力手段による再指定情報に基づき，パラメータを再設定するものである。
【００１３】
また，請求項３に係るカラー画像信号処理装置は，カラー画像信号を画像入力手段より入力し，色再現処理手段により該カラー画像信号の色空間範囲を変換し，画像出力手段より出力するカラー画像信号処理装置において，複数個のカラーパッチと，該複数個のカラーパッチのそれぞれに対応する前記画像出力手段の望ましい色再現範囲内のカラーパッチとの組み合わせを指定し，カラーパッチ対比表示手段に表示するカラーパッチ色再現操作入力手段と，前記カラーパッチ対比表示手段に表示された，前記複数個のカラーパッチと，前記望ましい色再現範囲内のカラーパッチとの組み合わせを，前記色再現処理手段における変換に用いるパラメータを仮設定することにより変更するパラメータ仮設定手段と，使用者が前記カラーパッチ対比表示手段の表示を参照して，前記色再現処理手段の変換に用いるパラメータを設定するパラメータ設定手段と，前記パラメータ仮設定手段により仮設定されたパラメータに基づき，前記複数個のカラーパッチと，前記複数個のカラーパッチのそれぞれに対応する指定されたカラーパッチとの関係を評価して，該評価結果を前記カラーパッチ対比表示手段に表示するパラメータ評価手段と，を備えるものである。
【００１５】
また，請求項４に係るカラー画像信号処理方法は，画像入力手段より入力したカラー画像信号の色空間範囲を変換して画像出力手段より出力すべきカラー画像信号を生成するカラー画像信号処理方法において，複数個のカラーパッチを表示し，前記複数個のカラーパッチのそれぞれに対応する前記画像出力手段の望ましい色再現範囲内のカラーパッチを指定する第１ステップと，前記第１ステップによる指定情報に基づき，前記色空間範囲の変換に用いるパラメータを設定する第２ステップと，前記第２ステップにより設定されたパラメータを用いて，前記画像入力手段より入力したカラー画像信号の色空間範囲を変換する第３ステップと，を備えるものである。
【００１８】
【発明の実施の形態】
以下，本発明のカラー画像信号処理装置及びカラー画像信号処理方法の概要について，並びに，本発明のカラー画像信号処理装置及びカラー画像信号処理方法の実施例について，〔実施例１〕，〔実施例２〕，〔実施例３〕の順に図面を参照して詳細に説明する。
【００１９】
〔本発明のカラー画像信号処理装置及びカラー画像信号処理方法の概要〕
本発明の請求項１に係るカラー画像信号処理装置及び請求項５に係るカラー画像信号処理方法では，図１及び図２に示す如く，カラーパッチ色再現操作入力手段１０１により，複数個のカラーパッチをカラーパッチ対比表示手段１０６に表示し，それぞれに対応する画像出力手段１０５の望ましい色再現範囲内の色を表示して指定し（第１ステップＳ２０１），パラメータ設定手段１０２により，カラーパッチ色再現操作入力手段１０１による指定情報に基づき，色再現処理手段１０４の変換に用いるパラメータを設定し（第２ステップＳ２０２），色再現処理手段１０４により，パラメータ設定手段１０２による設定パラメータを用いて，画像入力手段１０３より入力したカラー画像信号の色空間範囲を変換して，画像出力手段１０５から出力するようにしている（第３ステップＳ２０４）。
【００２０】
このように，カラーパッチ色再現操作入力手段１０１により，使用者の色再現に関する趣向を簡単な操作で色再現処理に反映させることが可能となるので，カラー画像情報の色空間範囲を変換するカラー画像信号処理装置において，使用者の色再現要求に忠実な色再現を実現するカラー画像を得ることができ，また，試行錯誤が少なく，カラー画像情報の色空間範囲を変換するカラー画像信号処理装置のカスタマイズが可能となる。
【００２１】
また，本発明の請求項２に係るカラー画像信号処理装置及び請求項６に係るカラー画像信号処理方法では，図６に示す如く，パラメータ評価手段６０６において，パラメータ設定手段６０２により設定されたパラメータに基づき，複数個のカラーパッチと，それぞれに対応する指定された色との関係を評価し，該評価結果に基づいて，必要な場合にはカラーパッチ変更手段６０７により複数個のカラーパッチを変更するようにし，カラーパッチ色再現操作入力手段６０１では，変更後の複数個のカラーパッチをカラーパッチ対比表示手段６０８に表示し，それぞれに対応する画像出力手段６０５の望ましい色再現範囲内の色を再指定し，パラメータ設定手段６０２では，該再指定情報に基づきパラメータを再設定するようにしている。特に，請求項６に係るカラー画像信号処理方法では，複数個のカラーパッチと，それぞれに対応する画像出力手段６０５の望ましい色再現範囲内の色との関係がより明確になるまで，複数のカラーパッチの数を増やすようにしている。
【００２２】
このように，パラメータ評価手段６０６による評価を行いながら，必要な場合には複数個のカラーパッチを変更し，また，複数個のカラーパッチと，それぞれに対応する望ましい色再現範囲内の色との関係がより明確になるまで，複数のカラーパッチの数を増やすので，より確実に使用者の色再現に関する指示を与えることが可能となる。
【００２３】
また，本発明の請求項３に係るカラー画像信号処理装置及び請求項７に係るカラー画像信号処理方法では，図８及び図９に示す如く，カラーパッチ色再現操作入力手段８０１により，複数個のカラーパッチと，それぞれに対応する画像出力手段８０５の望ましい色再現範囲内の色との組み合わせをカラーパッチ対比表示手段８０７に対比表示し（第１ステップＳ９０１），該表示された複数個のカラーパッチと，それぞれに対応する前記画像出力手段の望ましい色再現範囲内の色との組み合わせを，パラメータ仮設定手段８０６により色空間範囲の変換に用いるパラメータを仮設定することにより変更し（第２ステップＳ９０２及びＳ９０３），使用者がカラーパッチ対比表示手段８０７の組み合わせ表示を参照して，パラメータ設定手段８０２により色空間範囲の変換に用いるパラメータを設定し（第３ステップＳ９０４），色再現処理手段８０４により，パラメータ設定手段８０２による設定パラメータを用いて，画像入力手段８０３より入力したカラー画像信号の色空間範囲を変換して，画像出力手段８０５から出力するようにしている（第４ステップＳ９０６）。
【００２４】
このように，使用者の色再現に関する指示を簡単な操作で容易且つ確実に色再現処理に反映させることが可能となるので，カラー画像情報の色空間範囲を変換するカラー画像信号処理装置において，使用者の色再現要求に忠実な色再現を実現するカラー画像を得ることができ，また，試行錯誤が少なく，カラー画像情報の色空間範囲を変換するカラー画像信号処理装置のカスタマイズが可能となる。
【００２５】
更に，請求項４に係るカラー画像信号処理装置では，パラメータ評価手段により，パラメータ仮設定手段８０６で仮設定されたパラメータに基づき，複数個のカラーパッチと，それぞれに対応する指定された色との関係を評価して，該評価結果をカラーパッチ対比表示手段８０７に表示するようにしている。
【００２６】
このように，パラメータ評価手段による評価を確認しながら，パラメータの仮設定及びまたは設定を行って，必要な場合には複数個のカラーパッチと，それぞれに対応する望ましい色再現範囲内の色との組み合わせを変更するので，より確実に使用者の色再現に関する指示を与えることが可能となる。
【００２７】
〔実施例１〕
図１は本発明の実施例１に係るカラー画像信号処理装置の構成図である。
【００２８】
同図において，本実施例のカラー画像信号処理装置は，カラー画像信号を入力する画像入力手段１０３と，該入力したカラー画像信号の色空間範囲を変換する色再現処理手段１０４と，該変換したカラー画像信号を出力する画像出力手段１０５と，複数個のカラーパッチをカラーパッチ対比表示手段１０６に表示し，それぞれに対応する画像出力手段１０５の望ましい色再現範囲内の色を表示して指定するカラーパッチ色再現操作入力手段１０１と，カラーパッチ色再現操作入力手段１０１による指定情報に基づき，色再現処理手段１０４の変換に用いるパラメータを設定するパラメータ設定手段１０２とを備えて構成されている。
【００２９】
次に図２は，本実施例のカラー画像信号処理装置において行われるカラー画像信号処理方法の概要を説明する説明図である。
【００３０】
本実施例のカラー画像信号処理方法は，大きく，カラーパッチ色再現操作入力手段１０１により，複数個のカラーパッチをカラーパッチ対比表示手段１０６に表示し，それぞれに対応する画像出力手段１０５の望ましい色再現範囲内の色を表示して指定する第１ステップＳ２０１と，パラメータ設定手段１０２により，カラーパッチ色再現操作入力手段１０１による指定情報に基づき，色再現処理手段１０４の変換に用いるパラメータを設定する第２ステップＳ２０２と，画像入力手段１０３よりカラー画像信号を入力し，色再現処理手段１０４により，パラメータ設定手段１０２による設定パラメータを用いて，画像入力手段１０３より入力したカラー画像信号の色空間範囲を変換して，画像出力手段１０５から出力する第３ステップＳ２０３，Ｓ２０４，Ｓ２０５とに分けられる。以下，各ステップについて詳細に説明する。
【００３１】
先ず，第１ステップＳ２０１において行われる，複数個のカラーパッチをカラーパッチ対比表示手段１０６に表示し，それぞれに対応する画像出力手段１０５の望ましい色再現範囲内の色をカラーパッチ色再現操作入力手段１０１により表示して指定する処理について説明する。
【００３２】
図３は，モニタ３０１（カラーパッチ対比表示手段１０６）上で行われる，複数個のカラーパッチと，それぞれに対応する望ましい色再現範囲内の色の指定を説明する説明図である。指定の操作は，複数個のカラーパッチ３１１が表示されている状態で，使用者がそれに対応して望ましい再現先の色を指定することにより行われる。
【００３３】
即ち，先ず，モニタ３０１上に元の連続カラーパッチ３１１を表示する。次に，表示された元の連続カラーパッチ３１１を見ながら，その横に配置されたパッチ３１２の色を，元の色に一番近いガマット境界線上の色（ガマット圧縮後のカラーパッチ）になるように，色調整スイッチ３２１を使用して手動で明度値と彩度値を指定する。尚，パッチは１個づつ独立に指定でき，使用者は，個々のパッチの色味の一致と色の連続性を考慮しながらカラーマッチングを図る。
【００３４】
ここで，基準となる複数個のカラーパッチの色は，再現の方法が問題となる色であり，この例では，画像出力手段１０５の色再現範囲外の色である。基準となるパッチの横に示す同じ数のカラーパッチは，色再現範囲内の色を操作によって変更することができるように構成されている。この例では，色の操作は，彩度，明度，色相の数値を与えるバーの操作によって行われる。従って，使用者は，各々カラーパッチに対して基準となるカラーパッチの色の再現後の色をこれらの操作によって指定する。
【００３５】
次に，パラメータ設定手段１０２により行われる，カラーパッチ色再現操作入力手段１０１による指定情報に基づいて色再現処理手段１０４の変換に用いるパラメータを設定する第２ステップＳ２０２の処理について説明する。図４は，統計計算により，指定結果から色再現処理に用いるパラメータを計算する処理を説明するフローチャートである。
【００３６】
先ず，第１ステップＳ２０１による色再現の指定結果を使って，元の色の明度と指定された再現色の明度の間の相関関係を求める。ここで，相関関係は単回帰式で記述する。
【００３７】
次に，単回帰式で与えられた関係式を，そのまま色再現式（Ｌ2＝Ａ×Ｌ１＋Ｂ）に置き換えて色再現する。即ち，ここでは，与えられたカラーの再現が，第１ステップＳ２０１の操作によって与えられた色再現に，統計的に近くなるよう実現するべくパラメータＡ，Ｂを決定する。
【００３８】
第１ステップＳ２０１の指定により，
（Ｌ1［1］，Ｌ2［1］），（Ｌ1［2］，Ｌ2［2］），…，（Ｌ1［i］，Ｌ2［i］），…，（Ｌ1［N］，Ｌ2［N］）
が与えられた時，以下のようにパラメータＡ，Ｂが決定される。ここで，（Ｌ1［i］，Ｌ2［i］）について，Ｌ1［i］は，基準としたｉ番目のカラーパッチ色の明度値であり，Ｌ2［i］は，基準としたｉ番目のカラーパッチ色に対する再現先の色として指定された色の明度値である。
【００３９】
先ずステップＳ４０１では，第１ステップＳ２０１の指定により，（Ｌ1［1］，Ｌ2［1］），（Ｌ1［2］，Ｌ2［2］），…，（Ｌ1［i］，Ｌ2［i］），…，（Ｌ1［N］，Ｌ2［N］）を得る。
【００４０】
次にステップＳ４０２では，＜Ｌ1＞＝ΣＬ1［i］／Ｎを計算し，またステップＳ４０３では，＜Ｌ2＞＝ΣＬ2［i］／Ｎを計算する。ここで，Σは，ｉに１からＮを与えた時の総和である。例えば，ΣＬ1［i］＝Ｌ1［1］＋Ｌ1［2］＋…＋Ｌ1［i］＋Ｌ1［i+1］＋…＋Ｌ1［N］である。以下，本明細書において同様である。
【００４１】
更にステップＳ３０４，Ｓ４０５では，次式により，それぞれＳ＜Ｌ1，Ｌ2＞，Ｓ＜Ｌ1，Ｌ1＞を計算する。
Ｓ＜Ｌ1，Ｌ2＞
＝（ΣＬ1［i］×Ｌ2［i］−Ｎ×＜Ｌ1＞×＜Ｌ2＞）／（Ｎ−１）
Ｓ＜Ｌ1，Ｌ1＞
＝（ΣＬ1［i］×Ｌ1［i］−Ｎ×＜Ｌ1＞×＜Ｌ1＞）／（Ｎ−１）
【００４２】
そしてステップＳ４０６では，Ｓ＜Ｌ1，Ｌ2＞，Ｓ＜Ｌ1，Ｌ1＞の比としてパラメータＡが，またステップＳ４０７では，色再現式よりパラメータＢ（＝＜Ｌ2＞−Ａ×＜Ｌ1＞）が計算される。
【００４３】
以上のようにして求められたパラメータＡ及びＢに基づき，ガマット圧縮処理の明度値Ｌ2は，元の色の明度値Ｌ1から，計算式Ｌ2＝Ａ×Ｌ1＋Ｂにより計算される。また，彩度値はＣ2＝ｆ（Ｌ2，Ｈ2）で与えられる。ここで，関数ｆは，ガマット境界上で明度値と色相値が与えられた時に，その色相のガマット境界上にある彩度を計算する関数である。更に，色相値はＨ2＝Ｈ1とし，元の色の色相値Ｈ1と同じ値を与える。
【００４４】
次に，色再現処理手段１０４により行われる，画像入力手段１０３よりカラー画像信号を入力し，パラメータ設定手段１０２による設定パラメータを用いて，画像入力手段１０３より入力したカラー画像信号の色空間範囲を変換して，画像出力手段１０５から出力する第３ステップＳ２０３，Ｓ２０４，Ｓ２０５の処理について説明する。図５は，色再現処理の手順を説明するフローチャートである。即ち，第２ステップＳ２０２で求められたパラメータＡ及びＢを使用して，入力したカラー画像信号に対して色再現処理を行う。
【００４５】
先ずステップＳ５０１で，原画を入力する。次に，ステップＳ５０２では，原画の画素を順次取り出し，画素毎に以下の処理（ステップＳ５０４からＳ５０７）を繰り返し行う。尚，ステップＳ５０３では，全ての画素の処理が終了したか否かの終了判定を行い，全ての画素の処理が終了したら，ステップＳ５０８で再現画像を出力する。
【００４６】
ステップＳ５０４では，色変換により画素の色の明度Ｌ1，彩度Ｃ1，色相Ｈ1を計算する。次に，ステップＳ５０５では，第２ステップＳ２０２で計算したパラメータＡ及びＢを，再現式Ｌ2＝Ａ×Ｌ1＋Ｂに適用して，再現後の色の明度Ｌ2を求める。また，ステップＳ５０６では，色相Ｈ1のガマット境界上で明度Ｌ2を持つ彩度Ｃ2を計算する。更に，ステップＳ５０７では，明度Ｌ2，彩度Ｃ2，色相Ｈ1を持つ色を出力用の色へ変換する。
【００４７】
以上のように本実施例のカラー画像信号処理装置では，カラーパッチ色再現操作入力手段１０１により，使用者の色再現に関する指示を簡単な操作で行い，該指定情報を色再現処理に反映させるので，次のような効果を奏する。
（１）カラー画像情報の色空間範囲を変換するカラー画像信号処理装置において，使用者の色再現要求に忠実な色再現を実現し得るカラー画像を獲得することができる。
（２）カラー画像情報の色空間範囲を変換するカラー画像信号処理装置のカスタマイズが可能となる。
（３）試行錯誤が少なく，容易に使用者の色再現に関する指示を与えることが可能となる。
【００４８】
〔実施例２〕
次に，図６は本発明の実施例２に係るカラー画像信号処理装置の構成図である。
【００４９】
同図において，本実施例のカラー画像信号処理装置は，実施例１と同様の画像入力手段６０３，色再現処理手段６０４，画像出力手段６０５，カラーパッチ対比表示手段６０８，カラーパッチ色再現操作入力手段６０１及びパラメータ設定手段６０２の構成に加えて，パラメータ設定手段６０１により設定されたパラメータに基づき，複数個のカラーパッチと，それぞれに対応する指定された色との関係を評価するパラメータ評価手段６０６と，該評価に基づいて，必要な場合に前記複数個のカラーパッチを変更するカラーパッチ変更手段６０７とを備えて構成されている。
【００５０】
つまり，本実施例のカラー画像信号処理装置では，実施例１における第１ステップＳ２０１及び第２ステップＳ２０２の処理を行った後，パラメータ評価手段６０６において，パラメータ設定手段６０２により設定されたパラメータに基づき，複数個のカラーパッチと，それぞれに対応する指定された色との関係を評価し，該評価結果に基づいて，必要な場合にはカラーパッチ変更手段６０７により複数個のカラーパッチを変更するようにし，カラーパッチ色再現操作入力手段６０１では，変更後の複数個のカラーパッチを表示し，それぞれに対応する画像出力手段６０５の望ましい色再現範囲内の色を再指定し，パラメータ設定手段６０２では，該再指定情報に基づきパラメータを再設定する。そして，パラメータ設定手段６０２により設定または再設定されたパラメータを用いて，画像入力手段６０３より入力したカラー画像信号の色空間範囲を色再現処理手段６０４により変換して，画像出力手段６０５から出力する。
【００５１】
図７は，本実施例のカラー画像信号処理装置における動作を説明するフローチャートである。ここでは，パラメータの評価方法として回帰検定を使用している。即ち，第２ステップＳ２０２で計算されたパラメータＡ及びＢを用いて分散比Ｆ0を計算し，回帰検定の結果に基づいて，必要な場合には基準となるカラーパッチのデータを変更してパラメータを再設定するものである。
【００５２】
先ず，ステップＳ７０１では，実施例１における第１ステップＳ２０１と同様に，予め用意した基準となるカラーパッチデータに対応する再現先の色を指定する。これにより，（Ｌ1［1］，Ｌ2［1］），（Ｌ1［2］，Ｌ2［2］），…，（Ｌ1［i］，Ｌ2［i］），…，（Ｌ1［N］，Ｌ2［N］）が得られる。
【００５３】
次に，ステップＳ７０２では，実施例１における第２ステップＳ２０２と同様に，図４のステップＳ４０１からステップＳ４０７までの処理により，パラメータＡ，Ｂを求める。
【００５４】
次に，ステップＳ７０３では，＜Ｙ＞＝Σ（Ａ×Ｌ1［i］＋Ｂ）を計算する。また，ステップＳ７０４では，分散比Ｆ0を次式によって計算する。
Ｆ0＝Ｎ×Σ（Ａ×Ｌ1［i］＋Ｂ−＜Ｙ＞）／Σ（Ｌ2［i］−（Ａ×Ｌ1［i］＋Ｂ））
【００５５】
次に，ステップＳ７０５では，分散比Ｆ0がある値，例えば１００以上でなければ，ステップＳ７０６に進んで，基準カラーパッチを変更し，ステップＳ７０１へ戻って，上記処理を繰り返す。また，分散比Ｆ0が１００以上であれば，ステップＳ７０２で求められたパラメータＡ，Ｂの値をそのままとして，ステップＳ７０７に進む。
【００５６】
ステップＳ７０７では，設定または再設定されたパラメータを用いて，画像入力手段６０３より入力したカラー画像信号の色空間範囲を色再現処理手段６０４により変換して，画像出力手段６０５から出力する。
【００５７】
〔実施例３〕
次に，図８は本発明の実施例３に係るカラー画像信号処理装置の構成図である。
【００５８】
同図において，本実施例のカラー画像信号処理装置は，カラー画像信号を入力する画像入力手段８０３と，該入力したカラー画像信号の色空間範囲をパラメータ設定手段８０２により設定されたパラメータに基づき変換する色再現処理手段８０４と，該変換したカラー画像信号を出力する画像出力手段８０５と，色再現処理手段８０４における変換に用いるパラメータを仮設定するパラメータ仮設定手段８０６と，複数個のカラーパッチと該パラメータ仮設定手段８０６により設定されたパラメータを用いて，それぞれのカラーパッチの色を変換した再現色との組み合わせをカラーパッチ対比表示手段８０７に表示し，該パラメータ仮設定手段８０６により設定されたパラメータを色再現処理手段８０４の変換に用いるパラメータとして，パラメータ設定手段８０２によりパラメータ設定するように指定するカラーパッチ色再現操作入力手段８０１とを備えて構成されている。
【００５９】
次に図９は，本実施例のカラー画像信号処理装置において行われるカラー画像信号処理方法の概要を説明する説明図である。
【００６０】
本実施例のカラー画像信号処理装置では，カラーパッチ色再現操作入力手段８０１により，複数個のカラーパッチと，それぞれに対応する画像出力手段８０５の望ましい色再現範囲内の色との組み合わせをカラーパッチ対比表示手段８０７に対比表示し（ステップＳ９０１），該表示された複数個のカラーパッチと，それぞれに対応する前記画像出力手段の望ましい色再現範囲内の色との組み合わせを，パラメータ仮設定手段８０６により色空間範囲の変換に用いるパラメータを仮設定することにより変更し（ステップＳ９０２及びＳ９０３），使用者がカラーパッチ対比表示手段８０７の組み合わせ表示を参照して，パラメータ設定手段８０２により色空間範囲の変換に用いるパラメータを設定し（ステップＳ９０４），色再現処理手段８０４により，パラメータ設定手段８０２による設定パラメータを用いて，画像入力手段８０３より入力したカラー画像信号の色空間範囲を変換して，画像出力手段８０５から出力する（ステップＳ９０６）。
【００６１】
ここで，パラメータ仮設定手段８０６における色再現処理のパラメータの仮設定は，例えば，色再現式が実施例１と同様に，Ｌ2＝Ａ×Ｌ1＋Ｂという関係式である場合，パラメータＡ及びＢについて行われる。ここに，Ｌ1は，基準色の明度値であり，Ｌ2は，基準色に対する再現先の色として表示する色の明度値である。
【００６２】
【発明の効果】
以上説明したように，本発明の請求項１に係るカラー画像信号処理装置及び請求項４に係るカラー画像信号処理方法によれば，カラーパッチ色再現操作入力手段により，複数個のカラーパッチをカラーパッチ対比表示手段に表示し，該複数個のカラーパッチのそれぞれに対応する画像出力手段の望ましい色再現範囲内のカラーパッチを表示して指定し（第１ステップ），パラメータ設定手段により，カラーパッチ色再現操作入力手段による指定情報に基づき，色再現処理手段の変換に用いるパラメータを設定し（第２ステップ），色再現処理手段により，パラメータ設定手段による設定パラメータを用いて，画像入力手段より入力したカラー画像信号の色空間範囲を変換して，画像出力手段から出力する（第３ステップ）こととしたので，使用者の色再現に関する指示を簡単な操作で色再現処理に反映させることが可能となり，カラー画像情報の色空間範囲を変換するカラー画像信号処理装置において，使用者の色再現要求に忠実な色再現を実現するカラー画像を得ることができ，また，試行錯誤が少なく，カラー画像情報の色空間範囲を変換するカラー画像信号処理装置のカスタマイズが可能なカラー画像信号処理装置及びカラー画像信号処理方法を提供することができる。
【００６３】
また，本発明の請求項２に係るカラー画像信号処理装置によれば，パラメータ評価手段において，パラメータに基づき，複数個のカラーパッチと，複数個のカラーパッチのそれぞれに対応する指定されたカラーパッチとの関係を評価し，該評価結果に基づいて，必要な場合にはカラーパッチ変更手段により複数個のカラーパッチを変更するようにし，カラーパッチ色再現操作入力手段では，変更後の複数個のカラーパッチをカラーパッチ対比表示手段に表示し，複数個のカラーパッチのそれぞれに対応する画像出力手段の望ましい色再現範囲内のカラーパッチを再指定し，パラメータ設定手段では，該再指定情報に基づきパラメータを再設定することとしたので，より確実に使用者の色再現に関する指示を与えることが可能なカラー画像信号処理装置及びカラー画像信号処理方法を提供することができる。
【００６４】
また，本発明の請求項３に係るカラー画像信号処理装置によれば，カラーパッチ色再現操作入力手段により，複数個のカラーパッチと，複数個のカラーパッチのそれぞれに対応する画像出力手段の望ましい色再現範囲内のカラーパッチとの組み合わせをカラーパッチ対比表示手段に対比表示し（第１ステップ），該表示された複数個のカラーパッチと，望ましい色再現範囲内のカラーパッチとの組み合わせを，パラメータ仮設定手段により色空間範囲の変換に用いるパラメータを仮設定することにより変更し（第２ステップ），使用者がカラーパッチ対比表示手段の組み合わせ表示を参照して，パラメータ設定手段により色空間範囲の変換に用いるパラメータを設定し（第３ステップ），色再現処理手段により，パラメータ設定手段による設定パラメータを用いて，画像入力手段より入力したカラー画像信号の色空間範囲を変換して，画像出力手段から出力する（第４ステップ）こととしたので，使用者の色再現に関する指示を簡単な操作で容易且つ確実に色再現処理に反映させることが可能となり，カラー画像情報の色空間範囲を変換するカラー画像信号処理装置において，使用者の色再現要求に忠実な色再現を実現するカラー画像を得ることができ，また，試行錯誤が少なく，カラー画像情報の色空間範囲を変換するカラー画像信号処理装置のカスタマイズが可能なカラー画像信号処理装置及びカラー画像信号処理方法を提供することができる。
【００６５】
更に，請求項４に係るカラー画像信号処理装置によれば，パラメータ評価手段による評価を確認しながら，パラメータの仮設定及びまたは設定を行って，必要な場合には複数個のカラーパッチと，複数個のカラーパッチのそれぞれに対応する望ましい色再現範囲内のカラーパッチとの組み合わせを変更することとしたので，より確実に使用者の色再現に関する指示を与えることが可能なカラー画像信号処理装置を提供することができる。
【図面の簡単な説明】
【図１】本発明の実施例１に係るカラー画像信号処理装置の構成図である。
【図２】実施例１のカラー画像信号処理装置において行われるカラー画像信号処理方法の概要を説明する説明図である。
【図３】モニタ上で行われる複数個のカラーパッチとそれぞれに対応する望ましい色再現範囲内の色の指定を説明する説明図である。
【図４】統計計算により指定結果から色再現処理に用いるパラメータを計算する処理を説明するフローチャートである。
【図５】色再現処理の手順を説明するフローチャートである。
【図６】本発明の実施例２に係るカラー画像信号処理装置の構成図である。
【図７】実施例２のカラー画像信号処理装置における動作を説明するフローチャートである。
【図８】本発明の実施例３に係るカラー画像信号処理装置の構成図である。
【図９】実施例３のカラー画像信号処理装置において行われるカラー画像信号処理方法の概要を説明する説明図である。
【符号の説明】
１０１，６０１，８０１  カラーパッチ色再現操作入力手段
１０２，６０２，８０２  パラメータ設定手段
１０３，６０３，８０３  画像入力手段
１０４，６０４，８０４  色再現処理手段
１０５，６０５，８０５  画像出力手段
６０６  パラメータ評価手段
６０７  カラーパッチ変更手段
８０６  パラメータ仮設定手段
１０６，６０８，８０７  カラーパッチ対比表示手段
【図１】
0003766139.tif 000002
【図２】
0003766139.tif 000003
【図３】
0003766139.tif 000004
【図４】
0003766139.tif 000005
【図５】
0003766139.tif 000006
【図６】
0003766139.tif 000007
【図７】
0003766139.tif 000008
【図８】
0003766139.tif 000009
【図９】
0003766139.tif 000010